(57)【特許請求の範囲】
【請求項１】
部屋の壁面を構成する壁パネルと、部屋の天井面を構成する天井パネルとが９０°に交差する内装システムの壁・天井際構造であって；
建物の躯体に固定される、縦方向に延びるスタッドと、
このスタッドに固定される、壁パネルの上端を押さえる壁パネル押え部、及び、天井パネルの端部を収容する天井パネルセット部を有する際クリップと、
上面凹部と下面凹部とを有するランナーと、
この下面凹部に係合する凸部を有し、スタッドの頭にかぶさってランナーとスタッドとの位置決めをするレールと、
を具備することを特徴とする内装システムの壁・天井際構造。
【請求項２】
上記際クリップの天井パネルセット部が、天井パネルの端部を収容する凹部を有するコの字状部と、
このコの字状部の平行板部下側の反奥壁側端部からパネル押え部と、
が形成されていることを特徴とする請求項１記載の内装システムの壁・天井際構造。
【請求項３】
さらに、上記際クリップを隠すモールを具備することを特徴とする請求項１又は２記載の内装システムの壁・天井際構造。
【請求項４】
さらに、上記際クリップのコの字状部の平行板部下側の反奥壁側端部から垂下した後に、再び奥側にコの字状に折れるクリップ係止溝が形成されていることを特徴とする請求項３記載の内装システムの壁・天井際構造。
【請求項５】
さらに、上記レールの外側に上記際クリップを配置したことを特徴とする請求項１〜４いずれか１項記載の内装システムの壁・天井際構造。
【発明の詳細な説明】
【０００１】
【発明の属する技術分野】
本発明は、住宅やオフィス等の建物の内装システムの壁・天井際構造に関する。特には、特殊な技能を有しない者でも組み立てが可能（一業種で施工可能）で、内装工事の省力化に役立ついわゆるシステム内装方式のの壁・天井際構造に関する。また、現場では、のり・釘を一切使用しない乾式工法であるため更新性に優れる壁・天井際構造に関する。
【０００２】
【従来の技術】
集合住宅等の鉄筋コンクリート製の躯体壁に沿って壁をつける際には、従来、一般的に次のようにしていた。まず躯体壁に間柱としてのスタッドをある間隔でビス等で固定する。次にこのスタッドに石膏製等の壁面ボードを貼り、ボード突き合わせ部はパテ埋めをしてボード間の段差を修正し、そして最後に、この壁面ボードの上に化粧板を貼るかクロス貼りの表面化粧をして仕上げ、さらに壁・天井際部を廻縁（見切材）をのりや釘を使用して固定している。
【０００３】
一方、躯体の壁面に壁（戸境壁という）を付けるのではなく、部屋と部屋との間を仕切る壁（間仕切り壁という）を作る場合には、補強用野縁を取りつけてスタッドを立てるか、躯体の天井下面まで壁用の下地材を延ばして立てる工法を採用していた。
【０００４】
【発明が解決しようとする課題】
しかしながら、上記従来の工法では、下地から仕上げ工事まで複数の専門業者の手で施工することが前提であり、工数・コスト・所要日数ともに相当かかるものであった。
【０００５】
また、将来、リフォームや間仕切り変更をする場合や壁面の改装仕上げを行う場合にも、壁面仕上げパネルや壁面取り付け棚などを取り外す等の大掛かりな工事が必要となっていた。
【０００６】
本発明は、このような問題点に鑑みてなされたもので、特殊な技能を有しない者でも組み立てが可能で、かつ乾式工法であるため、内装工事の省力化や部品点数の削減に役立ついわゆるシステム内装方式の壁・天井際構造を提供することを目的とする。
【０００７】
【課題を解決するための手段】
上記課題を解決するため、本発明の内装システムの壁・天井際構造は、部屋の壁面を構成する壁パネルと、部屋の天井面を構成する天井パネルとが９０°に交差する内装システムの壁・天井際構造であって、
建物の躯体に固定される、縦方向に延びるスタッドと、
このスタッドに固定される、壁パネルの上端を押さえる壁パネル押え部、及び、天井パネルの端部を収容する天井パネルセット部を有する際クリップと、
上面凹部と下面凹部とを有するランナーと、
この下面凹部に係合する凸部を有し、スタッドの頭にかぶさってランナーとスタッドとの位置決めをするレールと、
を具備することを特徴とする。
これにより、１つのクリップで壁パネル、天井パネル及びモール（廻縁）を保持することができ、従来より部品点数を削減でき、より少ない労力で能率的に施工することが可能となる。
【０００８】
本発明では、上面凹部と下面凹部とを有するランナーと、この下面凹部に係合する凸部を有し、スタッドの頭にかぶさってランナーとスタッドとの位置決めをするレールとを有することにより、任意の位置にランナーをスライドさせ、固定可能となる。
【０００９】
【発明の実施の形態】
以下、本発明の実施の形態を添付図面を参照して詳細に説明する。なお、図面中の上下方向が重力方向であり縦と呼び、左右方向が水平方向であり横と呼び、紙面の前後方向を前後方向と呼ぶ。
【００１０】
図１は、本発明の一実施形態に係る内装システムの壁・天井際構造の詳細構造を示す平面断面図であり、特に、間仕切壁際に適用した場合を示している。
まず、図１に示すように、ランナーＲは、両側面に側面切欠部１ａ、１ｂ（ライナー状の切溝）が、上下の面には上面凹部２ａ、下面凹部２ｂがそれぞれ備えられている。
【００１１】
天井Ｔのコンクリート材によるスラブ面には、ボルト３が取り付け固定されていて、このボルト３の下部先端側のネジ部３ｃには、吊り具４が、その上端水平板４ｂを上部ナット３ａ、下部ナット３ｂ等にて保持して締め付け固定することにより一体的に設けられている。なお、上部ナット３ａを回転して弛めて下部ナット３ｂを回転して上げたり下げたりすることにより、吊り具４およびそれに取り付けられるランナーＲの高さを調整することが可能な構成となっている。
【００１２】
前記吊り具４は、その両側にあるホルダー部４ａ，４ｂをランナーＲの両側面切欠部１ａ、１ｂにスライド可能に嵌合せして、上側よりこのランナーＲを保持し、天井Ｔから吊り下げられる構成となっている。これにより、任意の位置にランナーＲをスライドさせ、固定可能となる。なお、ホルダー部４ａ，４ｂは、ビス４ｃにより固定されている。
【００１３】
そして、ランナーＲの前記下面凹部２ｂには、下向きに開口するコの字型のレールＲ５が係合される構成となっている。すなわち、レールＲ５は、ランナーＲの下面凹部２ｂにレールＲ５の凸部５ａが係合するようになっている。このレールＲ５の下向き開口部内には、床面から垂直に立ち上げた間仕切壁やパネル又は間仕切り壁の下地材等（以下スタッドＳ）の上端部が係合され、スライド可能な構成となっている。この様な構成により、レールＲ５がスタッドの頭にかぶさってランナーＲとスタッドＳとを任意の位置で位置決め可能となる。
【００１４】
そして、スタッドＳを取り付けたランナーＲの側面切欠部１ａには、際クリップ６が取り付けられ、この際クリップ６により、表面に化粧施工された天井パネルＴＰおよび壁パネルＫＰを保持可能な構成となっている。
【００１５】
この際クリップ６は、図２に示すように、天井パネルＴＰの端部を収容する天井パネルセット部６１と、壁パネルＫＰの上端を押さえる壁パネル押え部６２と、を備えている。この様な構成により、１つのクリップで天井パネルＴＰおよび壁パネルＫＰとの端部をそれぞれ保持可能となり、より少ない部品点数で施工が可能となる。
【００１６】
さらに、上記天井パネルセット部６１は、天井パネルＴＰの端部を収容可能なようにコの字状部６１ａ有しており、天井パネルの端部を差し込む構成となっている。このコの字状部の平行板部下側の反奥壁側端部から垂下した面、すなわち、再び奥側にコの字状に折れるクリップ係止溝６３がレールＲ５を介してスタッドＳにネジ７で固定されている。が形成されているこれにより、特殊な技能を有する専門業者でなくとも施工可能となる。
【００１７】
また、上記壁パネル押え部６２は、上記スタッドＳに固定されている壁パネルＫＰの上端部を押さえることが可能なように、上記コの字状部６１ａの平行板部下側の反奥壁側端部から垂下した、壁パネル押さえ６２ａを備えた構成となっている。このような構成により、壁パネルＫＰを確実に保持することが可能となっている。
【００１８】
そして、上記天井パネルセット部６１と壁パネル押え部６２との間には、さらに、上記クリップのコの字状部６１ａの平行板部下側の反奥壁側端部から垂下した後に、再び奥側にコの字状に折れるクリップ係止溝６３が設けられている。このクリップ係止溝６３は、該溝の奥で、ネジ７により、スタッドＳに固定される構成となっている。上述のように、１つのクリップを１つのネジで固定する構成となっているので、より少ない部品点数で施工可能となり、また、より少ない労力で効率的に施工できる。
【００１９】
また、このクリップ係止溝６３には、装飾用のモール８が嵌込まれる構成となっており、美観を保つことが出来る。このモール８は、上記クリップ係止溝６３の溝部分に弾性変形しながら組み込まれる構成となっており、特殊な技能を有する専門業者でなくとも施工可能となっている。
【００２０】
図３は、ランナーＲを天井Ｔからボルト３と吊り具４にて吊り下げ、取り付け固定された状態を説明する部分斜視図であり、ランナーＲは、２本以上、複数本が使用され、例えば、天井Ｔの面の長手方向に対して平行な方向に配置されるように取り付けられる。
【００２１】
さらに、平行に取り付けられた上記ランナーＲには、このランナーＲに対して直行する方向、すなわち短手方向に対して平行な方向に、複数本のライナー状の振れ止め材１１が所定間隔をおいて取り付けられ、各々のランナーＲは、この振れ止め材１１によって互いに連結固定される構成となっている。
【００２２】
なお、ランナーＲと、振れ止め材１１との夫々の交差部には、そのいずれか一方または両方に互いに嵌合い可能な切溝を設けてもよい。また、交差は必要に応じてネジ止めする。
【００２３】
図４は、本発明の他の実施形態を示す平面断面図であり、全体的には図１に示す実施の形態と略同様であるが、特に、戸境壁際に適用した場合を示している。この例の特徴は、ランナーＲの片側側面と際クリップ６奥側側面とがスタッドに接した構成となっている。すなわち、ランナーＲが天井パネルＴＰの直上に位置するようになっており、吊り具４のホルダー部４ａ，４ｂがスタッドＳにビス４ｃにより固定されている。この場合にも、上記実施形態と同様の効果が得られる。
【００２４】
これらの内装システムの壁・天井際構造は、次のようにして作製する。まず、ランナーＲの下面凹部２ｂにレールＲ５の凸部５ａを係合させ、レールＲ５（？レールＲ）内にスタッドＳを嵌め込む。次いで天井パネルＴＰを際クリップ６のコの字状部６１ａに挿入し、この状態でレールＲ５に当接させ、際クリップ６の壁パネル押え６２ａに壁パネルＫＰを差し込む。次いで、クリップ係止溝６３でネジ止めして固定した後に、クリップ係止溝６３のネジ７を隠すようにしてモール８を取り付ける。
【００２５】
本発明は、上記実施形態に限定されず、種々変更して実施することができる。したがって、上記実施形態における部材の寸法や形状は一例に過ぎず、適宜変更して実施することができる。
【００２６】
【発明の効果】
以上の説明からも明らかなように、本発明の内装システムの壁・天井際構造は、スタッドに固定される壁パネルの上端を押さえる壁パネル押え部と、天井パネルの端部を収容する天井パネルセット部とを有する、１つの際クリップにより、壁パネルと天井パネルとを同時に保持することができ、従来より部品点数を削減できる。よって、より少ない労力で能率的に施工することが可能となる。
【００２７】
さらに、上面凹部と下面凹部とを有するランナーと、この下面凹部に係合する凸部を有し、スタッドの頭にかぶさってランナーとスタッドとの位置決めをするレールＲと、を備えたことにより任意の位置にランナーをスライドさせ、固定可能となり、将来のリフォームや間仕切り変更等を行う場合や壁面の改装仕上げを行う場合にも、特殊技能を有しない者でも施工可能となり、作業の省力化を図ることができる。
【図面の簡単な説明】
【図１】本発明の一実施形態に係る内装システムの壁・天井際構造の詳細構造を示す平面断面図である。
【図２】図１に示す内装システムの壁・天井際構造における際クリップの詳細を示す図である。
【図３】図１に示す内装システムの壁・天井際構造を示すランナーとスタッドの結合状態を示す斜視図である。
【図４】本発明の他実施形態に係る内装システムの壁・天井際構造の詳細構造を示す平面断面図である。
【符号の説明】
１…側面切欠部、２ａ…上面凹部、２ｂ…下面凹部、３…ボルト、４…吊り具、
５…レールＲ、６…際クリップ、７…ネジ、８…モール、１１…振れ止め材、
６１…天井パネルセット部、６１ａ…コの字状部、６２…壁パネル押え部、
６２ａ…壁パネル押さえ、６３…クリップ係止溝、Ｒ…ランナー、
Ｓ…スタッド、Ｔ…天井、ＴＰ…天井パネル、ＫＰ…壁パネル。
【図１】
0003717095.tif 000002
【図２】
0003717095.tif 000003
【図３】
0003717095.tif 000004
【図４】
0003717095.tif 000005